【手続補正書】
【提出日】平成20年8月11日(2008.8.11)
【手続補正１】
【補正対象書類名】特許請求の範囲
【補正対象項目名】全文
【補正方法】変更
【補正の内容】
【特許請求の範囲】
【請求項１】
上面部材と下面部材との間に内部空間を有するつばを備えるサンバイザーであって、
前記上面部材に外気が内部空間に流入可能な空気導入口と、前記下面部材に内部空間の空気が流出可能な排出口が形成されており、
前記内部空間内には、
前記空気導入口を介して外気を内部空間内に流入させ、かつ、排出口を介して前記内部空間内の空気を排出させる空気供給ファンと、
前記内部空間内の空気を濾過する空気汚染物濾過材と、
受光して発電し、前記空気供給ファンに電気を供給する太陽光発電モジュウルと、
を備えることを特徴とする新鮮な空気を吹き出すサンバイザー
【請求項２】
前記つばの下面に吊設され、前記排出口から吹き付けられる空気以外の空気がつばの下部に供給されることを防ぐ透明風防幕を備えることを特徴とする請求項１に記載された新鮮な空気を吹き出すサンバイザー
【請求項３】
前記太陽光発電モジュウルが発電した電気を蓄電する蓄電池を備えることを特徴とする請求項１または請求項２に記載された新鮮な空気を吹き出すサンバイザー
【手続補正２】
【補正対象書類名】明細書
【補正対象項目名】全文
【補正方法】変更
【補正の内容】
【発明の詳細な説明】
【発明の名称】新鮮な空気を吹き出すサンバイザー
【技術分野】
【０００１】
大気中の有害物質の身体粘膜付着と呼吸吸引の防止に係るもので、黄砂による大気汚染や火山降灰、種々植物による花粉アレルギ、自動車排ガスや職業的有害ガスの吸引、建材等によるハウスシック症候群、高地による酸欠症状、数えれば切りがない大気吸引による各種要因による疾病の予防と改善策、患者自身の肉体的及び精神的負担の軽減、同時に健常者の作業労働環境改善及び生活環境改善と日常の疾病予防策の分野である。
【背景技術】
【０００２】
東南アジアの首都での大気汚染状況は想像を絶するもので、自動車あるいは工場排気で、近距離景観でも目視不能な霞み状態の中、市街地を市民全員がマスク着用で通行している状況であった。
【０００３】
人為的な大気汚染は、先進国及び発展途上国といえども同様で、大気放散の有害物質は如何様にもしがたく、この汚染空気の吸入を阻止して新鮮な空気を吸入することは困難である。
ここで、新鮮な空気とは、空気に含まれる有害物質の量を軽減した空気のことをいう。
【０００４】
また、現在の人間社会で、有害物質及びアレルギ物質の大気中飛散度は、心肺機能に異状がある人々や、アレルギ体質の人々には過酷な環境下にある。そのため、外出はおろか、居住区内においても、健常者では想定し得ない苦労を強いられており、防毒マスクに匹敵する程の眼鏡や保護マスクを使用せざるを得ず、老若男女で、身体的にもさることながら、精神的には計り知れない負担があり、社会的にも大きな問題である。しかし、残念ながら現状の発症被害者の採る道は、マスクと眼鏡しかなく、大気中のアレルギ物質に対する商品は２００種以上にも及ぶが、どれも多少の効果があるが、決定的なものではない。
【０００５】
このような社会で、呼吸器官の疾病を防止すべく、通常のガーゼマスクを着用しても効果はあまり期待できない。また、昨今、滅菌ガーゼ付き、あるいは花粉吸入防止のマスクも出回り、花粉アレルギによる症状防止のために鼻や喉粘膜保護のマスク着用者が増えている。
【発明の開示】
【発明が解決しようとする課題】
【０００６】
現在市販品の顔全面を覆うようなマスクや重厚な眼鏡の装着は、装着者にとっては対外的に精神負担の面が大きい。また、マスクの装着の仕方によっては、マスクの花粉除去率は７０％であり、３０％は吸入しているという結果が公表されている（特許文献１）。
【０００７】
生命維持のための大気酸素呼吸は、地球上の各国発展の工業生産過程、温暖化を含めた自然環境、自然保護のための植林政策といった人為的あるいは自然的な環境変化、そして、千差万別の個人体質によって、健康管理の影響度も変わる。そのために既に各種疾病を発症している者は当然のこと、その予防処置は薬品に頼っている現状を打破することが大きな課題である。
【０００８】
人為的な大気汚染は、先進国及び発展途上国といえども同様で、大気放散の有害物質は如何様にもできない。この汚染空気の吸入を阻止して新鮮な空気を吸入することや、数億年前の空気中の酸素濃度が３０％に近い新鮮な空気をも日常行動を疎外せずに呼吸することができればよいが、空気中の酸素濃度が１９％程度である今日では望めない。
【０００９】
同時に、人間の生命維持における空気中の２０％前後しかない酸素を人間が汚染し、汚染空気を人間が吸入し、その人間が種々の身体異常を訴えて、症状緩和のための手段として病院シェルタや高価な対症家屋商品を購入使用するしかないが、一般人でも日常生活に影響を及ぼさないような、いかなる行動中でもこの汚染大気環境の中で、常時新鮮な空気を吸引することができるようにすれば良い。
【００１０】
【特許文献１】特開２００６−２１７９３６号公報（段落００６８）
【課題を解決するための手段】
【００１１】
前記課題を解決するために、請求項１に係る新鮮な空気を吹き出すサンバイザーは、上面部材と下面部材との間に内部空間を有するつばを備えるサンバイザーであって、前記上面部材に外気が内部空間に流入可能な空気導入口と、前記下面部材に内部空間の空気が流出可能な排出口が形成されており、前記内部空間内には、前記空気導入口を介して外気を内部空間内に流入させ、かつ、排出口を介して前記内部空間内の空気を排出させる空気供給ファンと、前記内部空間内の空気を濾過する空気汚染物濾過材と、受光して発電し、前記空気供給ファンに電気を供給する太陽光発電モジュウルと、を備えることを特徴とする。
【発明の効果】
【００１２】
空気導入口７に備えられた空気汚染物濾過材８を経由して浄化された空気（濾過新鮮空気１２）が、空気供給ファン１０によって吸引され、サンバイザー１の陽除けつば２の下部面材４に貫通して備えられた濾過空気排出口１１から吹き出され、顔面周囲の上から下に向かって、濾過新鮮空気１２が流動することでエアーカーテンが形成される。そのエアーカーテンにより顔面全域が隔離されるため、サンバイザー１を装着した利用者は、有害な大気中でも新鮮な空気（濾過新鮮空気１２）を吸入することができる。
【発明を実施するための最良の形態】
【００１３】
図１は、本発明の第１実施形態に係るサンバイザー１の陽除けつば２の断面図である。図２は、その斜視図である。また、図９と図１０は、サンバイザー１に備えられる空気供給ファン１０の一例であるターボファン、軸流ファンの斜視図である。
陽除けつば２は、従来からあるサンバイザーの１枚の陽除けつばをベースにしても良いが、本実施形態のサンバイザー１では陽除けつば２の内部に備えられる後述の装備が、陽除けつば２の表面に角張って露出してしまう。そのため、特に子供や老人が装着中に転倒した場合、顔面や頭部に擦り傷（擦過傷）ができる恐れがあった。よって、本実施形態のサンバイザー１では危険回避のため、陽除けつば２を上部面材３と下部面材４との前部結合で内部空間室５を形成して側面を曲線密閉にし、陽除けつば２の素材は形状保持可能な軟質素材で構成した。
【００１４】
上部面材３の表面には、太陽光発電モジュウル６が一定面積で装着された。日差しの良い日にこそ、樹木花粉の飛散が多いことから、太陽光発電モジュウル６での稼働を優先して採用した。
【００１５】
上部面材３または下部面材４を開口して空気導入口７が設置され、空気汚染物濾過材８を、空気導入口７にワンタッチ装着可能な枠付きで装着することができる。
【００１６】
内部空間室５の内部には、微弱電流で回転駆動するソーラー電動機９によって稼働する空気供給ファン１０の吸引側が設置されて、内部空間室５の内部の空気を吹き出す。
【００１７】
空気供給ファン１０の設置数は、ファンの吹き出し量と消費電力との関係で決まるが、ファンが小型化すれば風量も小さくなり消費電力も少なくなるので、複数の設置も可能である。
【００１８】
実地試験において、本実施形態のサンバイザー１には、使用電圧０．５Ｖで使用電流０．０３Ａの回転数１２８０ｒｐｍのソーラー電動機９と、最大発電能力１．５Ｖで４００ｍＡ／ｈの太陽光発電モジュウル６とを備えた。しかし、ソーラー電動機９には、使用電圧０．５Ｖで使用電流０．０２５Ａの回転数３８０ｒｐｍを使用しても良いし、太陽光発電モジュウル６には、最大発電能力０．５Ｖで１２００ｍＡ／ｈを使用しても良い。
これにより、空気供給ファン１０は、必要以上に回転することなく、十分な空気供給量が得られた。
【００１９】
夜間または曇天で太陽光発電モジュウル６が稼働不能な場合には、内部空間室５に設置された軽量で充電可能な単三電池等の蓄電池１３から電気が供給されることで空気供給ファン１０は稼働することができる。また、昼間に在宅等で使用しない時は、直射日光の当たる窓際付近に置くことで、太陽光発電モジュウル６は太陽光発電し、その余剰電力を蓄電池１３に充電することができる。
【００２０】
当然のことながら、蓄電池１３として用いられる単三電池は、充放電可能な市販品の単三電池で十分であり、サンバイザー１を装着中に電池切れが発生した場合には、一般的な何処の店にでもある単三電池を購入して使用すれば良いし、予備バッテリとして持参しても構わない。
【００２１】
空気導入口７に備えられた空気汚染物濾過材８を経由して浄化された空気（濾過新鮮空気１２）が、空気供給ファン１０によって吸引され、サンバイザー１の陽除けつば２の下部面材４に貫通して備えられた濾過空気排出口１１から吹き出され、顔面の上から下に向かって、濾過新鮮空気１２が流動することでエアーカーテンを形成することができる。
【００２２】
本実施形態のサンバイザー１は、下部面材４の濾過空気排出口１１の前方に、脱着可能方式で透明風防幕１４を備えることにより、屋外での能動的作業や運動、あるいは自転車搭乗では、風圧によるエアーカーテンの崩壊を防止する。
【００２３】
この透明風防幕１４は、陽除けつば２の周囲曲線に追従して一定面積で装着すれば良く、透明で柔軟性のある厚みが１ｍｍ乃至２ｍｍの樹脂板でよい。老人や幼児が使用中に転倒することで顔面への怪我を防止するために素材も考慮した。
【００２４】
本実施形態のサンバイザー１は、空気供給ファン１０が強力な風量を必要とする場合には、その空気供給ファン１０を稼動させるソーラー電動機９を回転駆動させるために必要な電気を供給するために、サンバイザー１の伸縮可能円周バンド１５から頭頂にかけてのスペースに、必要な数の太陽光発電モジュウル６を備えることにより、発電量が増大し、内部空間室５に装着されたバッテリの容量を増大することができる。また、ポケッタブルバッテリを装着して電力供給することもできる。
【００２５】
本実施形態のサンバイザー１は、吹き出し方向調整枠１６を備えることにより、濾過空気排出口１１から濾過新鮮空気１２を吹き出す方向を選択することができる。
【００２６】
図６は、本実施形態のサンバイザー１の陽除けつば２に、吸水ポリマー塗布通気素材１７と、ポリエチレングリコール粒１９と、無害香料２０と、病気治療蒸散吸入薬品２１と、活性炭素素材２３とを備えた断面図である。
本実施形態のサンバイザー１は、空気導入口７に、吸水ポリマー塗布通気素材１７を備えることにより、濾過効率の向上と同時に、加湿した空気を吹き出すこともできるため、顔の表皮が乾燥することを抑えることができる。
水を含ませて絞ったガーゼ等の場合では、常に吹き出される空気（濾過新鮮空気１２）によりすぐ乾燥してしまうため、吸水量の多い吸水ポリマーなどの吸水ポリマー塗布通気素材１７を使用することが望ましい。
【００２７】
本実施形態のサンバイザー１は、空気導入口７から濾過空気排出口１１までの経路に、プラズマ電化イオン発生器１８を備えることにより、乾燥期における空気（濾過新鮮空気１２）中のマイナスイオンのバランスを維持することができる。
【００２８】
本実施形態のサンバイザー１は、空気導入口７から濾過空気排出口１１までの経路に、ポリエチレングリコール粒１９を備えることにより、ポリエチレングリコール粒１９の特性により、経路に導入された空気中の窒素を吸着する。これにより、濾過空気排出口１１から吹き出される空気（濾過新鮮空気１２）の酸素濃度を増やすことができる。
【００２９】
本実施形態のサンバイザー１は、空気導入口７に備えられた空気汚染物濾過材８に塗布含浸されたハーブ等植物抽出の無害香料２０により、濾過空気排出口１１から吹き出される空気（濾過新鮮空気１２）を消臭することができる。
【００３０】
本実施形態のサンバイザー１は、空気導入口７に薬品が浸潤された病気治療蒸散吸入薬品２１を備えることにより、大気汚染による喘息患者、あるいは種々の疾病の治療に用いることができる。
【００３１】
本実施形態のサンバイザー１は、空気導入口７に活性炭素繊維素材や活性炭素粒等の活性炭素素材２３を備えることにより、活性炭素が汚染ガス中の有害物質を吸着するため、濾過空気排出口１１から吹き出される空気（濾過新鮮空気１２）中の有害物質量を軽減することができる。
【００３２】
図７は、本実施形態のサンバイザー１の陽除けつば２に、ペルチェ素子冷暖電気制御基盤２２を備えた断面図である。
本実施形態のサンバイザー１は、内部空間室５の空気導入口７から濾過空気排出口１１までの経路に、ペルチェ素子を用いて吸熱および発熱するペルチェ素子冷暖電気制御基盤２２を備えることにより、濾過空気排出口１１から吹き出される空気（濾過新鮮空気１２）を暖めることや冷やすことができる。
【００３３】
図８は、本実施形態のサンバイザー１の陽除けつば２に、空気供給管２６を備えた断面図である。
本実施形態のサンバイザー１は、車椅子に搭載可能または携帯バッグに収納可能な小型のポータブルな携帯空気圧縮ボンベ（図示しない）から陽除けつば２の濾過空気排出口１１に供給する、または、工場等に設置された既存設備新鮮空気供給源エアー（図示しない）を濾過空気排出口１１に供給するフレキシブルな空気供給管２６を備えることにより、空気供給管２６から空気が導入されて呼吸することができるため、粗悪空気環境下での健康安全性を確保もできる。
【００３４】
本実施形態のサンバイザー１は、上記に示すように様々な実施形態で用いることができ、それらにより得られる効果を以下に示す。
【００３５】
大気中のアレルギ物質を吸入する環境下で、薬品を服用しても、その効果はなかなか現れなかった。しかし、本実施形態のサンバイザー１を装着することで、花粉アレルギによる症状の発症を抑えることができる。
【００３６】
東南アジアの首都での大気汚染状況は想像を絶するもので、自動車あるいは工場排気で、近距離景観でも目視不能な霞み状態の中、市街地を市民全員がマスク着用で通行している状況で、渡航中は健康管理面からも本実施形態のサンバイザー１を試験着用したところ、すれ違う第三者は、本発明着効用には全く気がつかず、親切にも、マスク着用を促される場面も発生した。
【００３７】
同様な環境下の先進国を含めた各工場、例えば指輪やネックレス製造工場の一角で行われている金属溶着作業に使用する有害ガス発生の顔面側近での手仕事は、いくら局所的な排気設備があっても、作業の特質から強力排気はできない。また、マスク装着では有害ガスを吸入することを阻止することができない。しかし、本実施形態のサンバイザー１を装着することで、顔面が新鮮な空気で覆われるため、薬品臭気さえも感じられなかった。
【００３８】
赤道直下の極暑地域での直射日光を浴びることの過酷さは推して知るべしであるが、先進国でも火炎環境、高温環境下での労務は脱水症状さえ起き得ることで、現状の、作業に影響ある重厚な断熱服の着用を止めて、本実施形態のサンバイザー１を装着する。これにより、軽量化した服装で洋服内部に軟質チューブを装着し、同時にヘルメットへの装着を行い、絶えず新鮮な空気を吹き出すことができるため、快適環境で作業を行うことができる。
【００３９】
新鮮な空気を吹き出す段階に、電子回路による軽量簡便なペルチェ素子で、温熱あるいは冷却した新鮮な空気を供給すれば、環境の寒暖による体力減退にも対応可能であり、本実施形態のサンバイザー１を装着することでクールビズやウォームビズにも対応し、省エネルギにも貢献する。
【００４０】
これらの他、医療用としては、重症患者以外に本実施形態のサンバイザー１を装着し、危険域をはずして酸素濃度をあげ、新鮮酸素放散吸入での治療効果も期待できる。
【００４１】
また、本実施形態のサンバイザー１を装着して、登山や陸上練習において酸素を供給する際に、酸素濃度を変更することで、高地での体力維持のための高酸素濃度の新鮮な空気を供給することができる。つまり、平地にいながら高地対応トレーニングをすることができる。
【００４２】
また、建材含有成分による疾病発病者（ハウスシック症候群）、あるいは大気中の飛散物質によるアレルギ発症者が、現状の制約された生活環境から従来の生活態様に戻すために、汚染された空気を取り除くことは不可能である。しかし、本実施形態のサンバイザー１を装着することで、各個人の顔面全体を新鮮な空気で覆うことができるため、結果的には汚染された空気から疾病発病者やアレルギ発症者を隔離することができる。
【００４３】
本実施形態のサンバイザー１が吹き出す新鮮な空気（濾過新鮮空気１２）は、圧縮空気缶に液体空気あるいは圧縮空気を充填して保持し、軟質チューブで、額から顔面にあるいは頭部全周から新鮮な空気を顔面に放散し、目、鼻、喉の粘膜を汚染大気から隔離して、放散された新鮮な空気を鼻から吸入することが最善である。
【００４４】
本実施形態のサンバイザー１の装着方法は種々あり、屋内や、夏期の屋外では陽よけサンバイザーのつば部位や専用の頭部位バンド、冬期には防寒帽等に装着することができる。
【図面の簡単な説明】
【００４５】
【図１】本発明の実施形態に係るサンバイザー１の陽除けつば２の断面図である。
【図２】本発明の実施形態に係るサンバイザー１の斜視図である。
【図３】本発明の実施形態に係るサンバイザー１の上視図である。
【図４】本発明の実施形態に係るサンバイザー１のＡ−Ａ断面図である。
【図５】太陽光発電モジュウル６と空気汚染物濾過材８とを備えた全周つば付き帽子を装着した側面図である。
【図６】本実施形態のサンバイザー１の陽除けつば２に、吸水ポリマー塗布通気素材１７と、ポリエチレングリコール粒１９と、無害香料２０と、病気治療蒸散吸入薬品２１と、活性炭素素材２３とを備えた断面図である。
【図７】本発明の実施形態に係るサンバイザー１の陽除けつば２に、ペルチェ素子冷暖電気制御基盤２２を備えた断面図である。
【図８】本発明の実施形態に係るサンバイザー１の陽除けつば２に、空気供給管２６を備えた断面図である。
【図９】本発明の実施形態に係るサンバイザー１に備えられる空気供給ファン１０の一例であるターボファンの斜視図である。
【図１０】本発明の実施形態に係るサンバイザー１に備えられる空気供給ファン１０の一例である軸流ファンの斜視図である。
【符号の説明】
【００４６】
１    サンバイザー
２    陽除けつば
３    上部面材
４    下部面材
５    内部空間室
６    太陽光発電モジュウル
７    空気導入口
８    空気汚染物濾過材
９    ソーラー電動機
１０  空気供給ファン
１１  濾過空気排出口
１２  濾過新鮮空気
１３  蓄電池
１４  透明風防幕
１５  伸縮可能円周バンド
１６  吹き出し方向調整枠
１７  吸水ポリマー塗布通気素材
１８  プラズマ電化イオン発生器
１９  ポリエチレングリコール粒
２０  無害香料
２１  病気治療蒸散吸入薬品
２２  ペルチェ素子冷暖電気制御基盤
２３  活性炭素素材
２６  空気供給管
【手続補正３】
【補正対象書類名】図面
【補正対象項目名】図１
【補正方法】変更
【補正の内容】
【図１】
2008212603.tif 000001
【手続補正４】
【補正対象書類名】図面
【補正対象項目名】図２
【補正方法】変更
【補正の内容】
【図２】
2008212603.tif 000002
【手続補正５】
【補正対象書類名】図面
【補正対象項目名】図３
【補正方法】変更
【補正の内容】
【図３】
2008212603.tif 000003
【手続補正６】
【補正対象書類名】図面
【補正対象項目名】図４
【補正方法】変更
【補正の内容】
【図４】
2008212603.tif 000004
【手続補正７】
【補正対象書類名】図面
【補正対象項目名】図５
【補正方法】変更
【補正の内容】
【図５】
2008212603.tif 000005
【手続補正８】
【補正対象書類名】図面
【補正対象項目名】図６
【補正方法】変更
【補正の内容】
【図６】
2008212603.tif 000006
【手続補正９】
【補正対象書類名】図面
【補正対象項目名】図８
【補正方法】変更
【補正の内容】
【図８】
2008212603.tif 000007
【手続補正１０】
【補正対象書類名】図面
【補正対象項目名】図１１
【補正方法】削除
【補正の内容】